【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
内壁及び外壁を有する生体組織を撮影することにより生体組織の３次元の医用画像データを取得する画像取得手段と、
前記医用画像データを基に、前記生体組織の内壁を抽出する内壁抽出手段と、
前記医用画像データを基に、前記生体組織の外壁を抽出する外壁抽出手段と、
前記抽出された前記生体組織の内壁を基に、前記生体組織の内壁が内側に隆起する第１隆起部の存在を含む情報を求める第１隆起部算出手段と、
前記抽出された前記生体組織の外壁を基に、前記生体組織の外壁が外側に隆起する第２隆起部の存在を含む情報を求める第２隆起部算出手段と、
前記第１隆起部算出手段により求められた前記第１隆起部の情報及び前記第２隆起部算出手段により求められた前記第２隆起部の情報を前記生体組織の画像に重ねて表示手段に表示させる表示制御手段と、
を有する
ことを特徴とする医用画像診断装置。
【請求項２】
前記表示制御手段は、前記第１隆起部及び前記第２隆起部の各情報を区別可能に表示させることを特徴とする請求項１に記載の医用画像診断装置。
【請求項３】
前記抽出された生体組織の内壁を基に、隆起前の内壁の形状である正常内壁を推定する正常内壁推定手段と、
前記抽出された生体組織の外壁を基に、隆起前の外壁の形状である正常外壁を推定する正常外壁推定手段と、
をさらに有し、
前記第１隆起部算出手段は、前記第１隆起部が前記正常内壁から隆起する高さである第１厚さを求め、
前記第２隆起部算出手段は、前記第２隆起部が前記正常外壁から隆起する高さである第２厚さを求め、
前記表示制御手段は、前記求められた前記第１厚さを前記第１隆起部の情報として表示させ、前記求められた前記第２厚さを前記第２隆起部の情報として表示させることを特徴とする請求項１または請求項２に記載の医用画像診断装置。
【請求項４】
前記第１厚さに対する第１色、及び、前記第１色とは異なる、前記第２厚さに対応する第２色を作成するカラーマッピング手段をさらに有し、
前記表示制御手段は、前記第１色及び前記第２色により、前記第１隆起部及び前記第２隆起部の各情報を表示させることを特徴とする請求項３に記載の医用画像診断装置。
【請求項５】
前記カラーマッピング手段は、前記第１厚さの厚さ方向を段階的に分け、各段階を色分けすることにより前記第１色を作成するとともに、前記第２厚さの厚さ方向を段階的に分け、各段階を色分けすることにより前記第２色を作成することを特徴とする請求項４に記載の医用画像診断装置。
【請求項６】
前記内壁抽出手段は、管状部を含む前記生体組織の内壁を抽出し、
前記外壁抽出手段は、管状部を含む前記生体組織の外壁を抽出し、
前記表示制御手段は、前記管状部の内壁の画像に重ねて前記第２隆起部の情報を表示させることを特徴とする請求項１から請求項５のいずれかに記載の医用画像診断装置。
【請求項７】
前記医用画像データを基に、前記生体組織を指定された位置で断面にしたときの断面画像を作成する断面画像生成手段と、
前記作成された断面画像において、前記生体組織の成分を分類し、前記分類ごとに色分けする色分け手段と、
をさらに有し、
前記表示制御手段は、前記色分け手段により前記色分けされた前記断面画像を表示させる
ことを特徴とする請求項６に記載の医用画像診断装置。
【請求項８】
前記管状部の内壁を平面状に展開した展開画像を生成する展開画像生成手段をさらに有し、
前記表示制御手段は、前記生成された前記展開画像を表示させるとともに、入力部の操作により前記展開画像上に前記位置を指定可能に表示させ、
前記断面画像生成手段は、前記指定を受けて、前記指定された前記位置で前記生体組織を断面にしたときの前記断面画像を作成し、
前記表示制御手段は、前記作成された前記展開画像を前記断面画像と共に表示させる
ことを特徴とする請求項７に記載の医用画像診断装置。
【請求項９】
前記色分け手段は、前記展開画像において、前記生体組織の成分を分類し、前記分類毎に色分けし、
前記表示制御手段は、前記色分けされた前記展開画像を表示させる
ことを特徴とする請求項８に記載の医用画像診断装置。
【請求項１０】
前記医用画像データを基に、前記生体組織の複数の断面を表したＭＰＲ画像を作成するＭＰＲ画像生成手段をさらに有し、
前記表示制御手段は、前記ＭＰＲ画像を、前記断面画像及び前記展開画像と共に表示させる
ことを特徴とする請求項８または請求項９に記載の医用画像診断装置。
【請求項１１】
前記色分け手段は、前記ＭＰＲ画像において、前記生体組織の成分を分類し、前記分類毎に色分けし、
前記表示制御手段は、前記色分けされた前記ＭＰＲ画像を表示させる
ことを特徴とする請求項１０に記載の医用画像診断装置。
【請求項１２】
さらに、前記表示制御手段は、前記医用画像データに基づいて指定された視点を前記ＭＰＲ画像上に表示させる
ことを特徴とする請求項１１に記載の医用画像診断装置。
【請求項１３】
さらに、前記表示制御手段は、入力部の操作を受けて、前記視点を移動可能に表示させる
ことを特徴とする請求項１２に記載の医用画像診断装置。
【請求項１４】
さらに、前記表示制御手段は、前記視点を前記展開画像上に表示させるとともに、前記展開画像上の前記視点を前記ＭＰＲ画像上の前記視点と連動させて表示させる
ことを特徴とする請求項１３に記載の医用画像診断装置。
【請求項１５】
前記管状部の外壁を前記断面画像の外側に開いたように表される外壁展開画像を生成する外壁展開画像生成手段をさらに有し、
前記表示制御手段は、前記生成された外壁展開画像を、前記断面画像及び前記ＭＰＲ画像と共に表示させる
ことを特徴とする請求項７から請求項１４のいずれかに記載の医用画像診断装置。
【請求項１６】
さらに、前記表示制御手段は、前記外壁展開画像において前記管状部の外壁の凹部及び／または凸部を含む形態を表示させるとともに、前記凹部及び前記凸部を区別可能に表示させる
ことを特徴とする請求項１５に記載の医用画像診断装置。
【請求項１７】
前記医用画像データを基に、指定された視点から前記管状部を見たときの前記管状部の外側を示すビュー画像を作成するビュー画像生成手段をさらに有し、
前記表示制御手段は、前記作成されたビュー画像を、前記断面画像、前記展開画像、及びＭＰＲ画像と共に表示させる
ことを特徴とする請求項７から請求項１６のいずれかに記載の医用画像診断装置。
【請求項１８】
さらに、前記表示制御手段は、前記ビュー画像において前記管状部の外壁の凹部及び／または凸部を含む形態を表示させるとともに、前記凹部及び前記凸部を区別可能に表示させる
ことを特徴とする請求項１７に記載の医用画像診断装置。
【請求項１９】
前記色分け手段は、前記生体組織の成分としてのカルシウム又は脂肪を輝度値を基に分類する
ことを特徴とする請求項７から請求項１８のいずれかに記載の医用画像診断装置。
【請求項２０】
外部から取得される、内壁及び外壁を有する生体組織の３次元の医用画像データを基に、前記生体組織の内壁を抽出する内壁抽出手段と、
前記医用画像データを基に、前記生体組織の外壁を抽出する外壁抽出手段と、
前記生体組織の内壁を基に、前記生体組織の内壁が内側に隆起する第１隆起部の情報を求める第１隆起部算出手段と、
前記生体組織の内壁を基に、前記生体組織の外壁が外側に隆起する第２隆起部の情報を求める第２隆起部算出手段と、
前記第１隆起部算出手段により求められた前記第１隆起部の情報及び前記第２隆起部算出手段により求められた前記第２隆起部の情報を前記生体組織の画像に重ねて表示手段に表示させる表示制御手段と、
を有する
ことを特徴とする医用画像表示装置。
【請求項２１】
外部から取得される、内壁及び外壁を有する生体組織の３次元の医用画像データを基に、前記生体組織の内壁を抽出する内壁抽出手段と、
前記医用画像データを基に、前記生体組織の外壁を抽出する外壁抽出手段と、
前記生体組織の内壁を基に、前記生体組織の内壁が内側に隆起する第１隆起部の情報を求める第１隆起部算出手段と、
前記生体組織の内壁を基に、前記生体組織の外壁が外側に隆起する第２隆起部の情報を求める第２隆起部算出手段と、
前記第１隆起部の情報及び前記第２隆起部の情報を関連付けて記憶手段に記憶させる記憶制御手段と、
を有する
ことを特徴とする医用画像処理装置。
【請求項２２】
外部から取得される、内壁及び外壁を有する生体組織の３次元の医用画像データを基に、前記生体組織の内壁を抽出するステップと、
前記医用画像データを基に、前記生体組織の外壁を抽出するステップと、
前記生体組織の内壁を基に、前記生体組織の内壁が内側に隆起する第１隆起部の情報を求める第１隆起部算出ステップと、
前記生体組織の内壁を基に、前記生体組織の外壁が外側に隆起する第２隆起部の情報を求める第２隆起部算出ステップと、
前記第１隆起部の情報及び前記第２隆起部の情報を関連付けて記憶手段に記憶させる記憶制御ステップと、
をコンピュータに実行させることを特徴とする医用画像処理プログラム。